(57)【要約】      （修正有）【課題】電気特性に優れた結晶性酸化物半導体膜を提供する。【解決手段】ミストＣＶＤ装置１９を用いて、ドーパントを含む原料溶液を霧化または液滴化し、得られたミストまたは液滴をキャリアガスで成膜室内に搬送し、ついで成膜室内で前記ミストまたは液滴を熱反応させることによって、結晶基板２０上に、酸化物半導体膜を形成する。この膜は、コランダム構造を有する結晶性酸化物半導体を主成分として含み、さらにドーパントを含む結晶性酸化物半導体膜であって、移動度が３０ｃｍ２／Ｖｓ以上である。【選択図】図１
2018082144.tif 000002
【特許請求の範囲】
【請求項１】
コランダム構造を有する結晶性酸化物半導体を主成分として含み、さらにドーパントを含む結晶性酸化物半導体膜であって、移動度が３０ｃｍ２／Ｖｓ以上であることを特徴とする結晶性酸化物半導体膜。
【請求項２】
キャリア密度が１．０×１０１８／ｃｍ３以上である請求項１記載の結晶性酸化物半導体膜。
【請求項３】
抵抗率が５０ｍΩｃｍ以下である請求項１又は２に記載の結晶性酸化物半導体膜。
【請求項４】
抵抗率が５ｍΩｃｍ以下である請求項１〜３のいずれかに記載の結晶性酸化物半導体膜。
【請求項５】
主面がａ面又はｍ面である請求項１〜４のいずれかに記載の結晶性酸化物半導体膜。
【請求項６】
前記ドーパントが、スズ、ゲルマニウム又はケイ素である請求項１〜５のいずれかに記載の結晶性酸化物半導体膜。
【請求項７】
前記ドーパントがスズである請求項１〜６のいずれかに記載の結晶性酸化物半導体膜。
【請求項８】
前記結晶性酸化物半導体が、ガリウム、インジウム又はアルミニウムを含む請求項１〜７のいずれかに記載の結晶性酸化物半導体膜。
【請求項９】
前記結晶性酸化物半導体が、ガリウムを少なくとも含む請求項１〜８のいずれかに記載の結晶性酸化物半導体膜。
【請求項１０】
半導体層と電極とを少なくとも含む半導体装置であって、前記半導体層として、請求項１〜９のいずれかに記載の結晶性酸化物半導体膜が用いられている半導体装置。
【請求項１１】
半導体装置を備える半導体システムであって、前記半導体装置が、請求項１０記載の半導体装置である半導体システム。
【発明の詳細な説明】
【技術分野】
【０００１】
本発明は、半導体装置に有用な結晶性酸化物半導体膜並びに前記結晶性半導体酸化物膜を用いた半導体装置及びシステムに関する。
【背景技術】
【０００２】
高耐圧、低損失および高耐熱を実現できる次世代のスイッチング素子として、バンドギャップの大きな酸化ガリウム（Ｇａ２Ｏ３）を用いた半導体装置が注目されており、インバータなどの電力用半導体装置への適用が期待されている。しかも、広いバンドギャップからＬＥＤやセンサー等の受発光装置としての応用も期待されている。当該酸化ガリウムは非特許文献１によると、インジウムやアルミニウムをそれぞれ、あるいは組み合わせて混晶することによりバンドギャップ制御することが可能であり、ＩｎＡｌＧａＯ系半導体として極めて魅力的な材料系統を構成している。ここでＩｎＡｌＧａＯ系半導体とはＩｎＸＡｌＹＧａＺＯ３（０≦Ｘ≦２、０≦Ｙ≦２、０≦Ｚ≦２、Ｘ＋Ｙ＋Ｚ＝１．５〜２．５）を示し、酸化ガリウムを内包する同一材料系統として俯瞰することができる。
【０００３】
特許文献１には、ｃ面サファイア基板上にＳｎをドーピングした結晶性の高い導電性α―Ｇａ２Ｏ３薄膜が記載されている。特許文献１に記載の薄膜は、Ｘ線回析法のロッキングカーブ半値幅が約６０ａｒｃｓｅｃと結晶性の高いα―Ｇａ２Ｏ３薄膜であるものの、十分な耐圧性を維持することができず、また、移動度も１ｃｍ２／Ｖｓ以下と、半導体特性も満足のいくものではなく、半導体装置に用いることがまだまだ困難であった。
【０００４】
また、特許文献２では、ｃ面サファイア基板上にＧｅをドーピングしたα―Ｇａ２Ｏ３膜が記載されており、特許文献１に記載の薄膜よりも電気特性に優れたα―Ｇａ２Ｏ３薄膜が得られているが、移動度は３．２６ｃｍ２／Ｖｓと、半導体装置に用いるにはまだまだ満足のいくものではなかった。
【０００５】
非特許文献２では、ｃ面サファイア基板上にＳｎをドーピングしたα―Ｇａ２Ｏ３膜を作製し、次いでアニール処理してこれをアニールバッファ層とし、その後アニールバッファ層上にＳｎをドープしたα―Ｇａ２Ｏ３膜を成膜することにより、移動度を向上させている。また、Ｓｎのドーピングによって、Ｓｎがサーファクタント的な効果を果たすことにより、α―Ｇａ２Ｏ３薄膜の表面粗さや結晶性が改善し、移動度が向上するという結果も得られている。しかしながら、アニール処理により、高抵抗化または絶縁化する問題があり、半導体装置に用いるにはまだまだ課題が残されていた。また、得られた膜は依然として転位が多く、転位散乱の影響が強いため、電気特性に支障をきたす問題があった。さらに、クラックも多い問題もあり、工業的に有用なα―Ｇａ２Ｏ３膜が待ち望まれていた。
【先行技術文献】
【特許文献】
【０００６】
【特許文献１】特開２０１３−０２８４８０号公報
【特許文献２】特開２０１５−２２８４９５号公報
【非特許文献】
【０００７】
【非特許文献１】金子健太郎、「コランダム構造酸化ガリウム系混晶薄膜の成長と物性」、京都大学博士論文、平成２５年３月
【非特許文献２】赤岩和明、「コランダム構造酸化ガリウム系半導体の電気特性制御とデバイス応用」、京都大学博士論文、平成２８年３月
【発明の概要】
【発明が解決しようとする課題】
【０００８】
本発明は、電気特性、特に移動度に優れた結晶性酸化物半導体膜を提供することを目的とする。
【課題を解決するための手段】
【０００９】
本発明者らは、上記目的を達成すべく鋭意検討した結果、特定の条件下で、ミストＣＶＤ法を用いて成膜すると、驚くべきことに、高抵抗化処理も絶縁化処理も行うことなく、また、半値幅が、例えば、１００ａｒｃｓｅｃ以上であっても、移動度に優れた結晶性酸化物半導体膜が得られ、さらに、得られた結晶性酸化物半導体膜は、クラックが低減されたものであることを見出し、この結晶性酸化物半導体膜が上記した従来の問題を一挙に解決できるものであることを知見した。
また、本発明者らは、上記知見を得た後、さらに検討を重ねて本発明を完成させるに至った。
【００１０】
すなわち、本発明は、以下の発明に関する。
［１］  コランダム構造を有する結晶性酸化物半導体を主成分として含み、さらにドーパントを含む結晶性酸化物半導体膜であって、移動度が３０ｃｍ２／Ｖｓ以上であることを特徴とする結晶性酸化物半導体膜。
［２］  キャリア密度が１．０×１０１８／ｃｍ３以上である前記［１］記載の結晶性酸化物半導体膜。
［３］  抵抗率が５０ｍΩｃｍ以下である前記［１］又は［２］に記載の結晶性酸化物半導体膜。
［４］  抵抗率が５ｍΩｃｍ以下である前記［１］〜［３］のいずれかに記載の結晶性酸化物半導体膜。
［５］  主面がａ面又はｍ面である前記［１］〜［４］のいずれかに記載の結晶性酸化物半導体膜。
［６］  前記ドーパントが、スズ、ゲルマニウム又はケイ素である前記［１］〜［５］のいずれかに記載の結晶性酸化物半導体膜。
［７］  前記ドーパントがスズである前記［１］〜［６］のいずれかに記載の結晶性酸化物半導体膜。
［８］  前記結晶性酸化物半導体が、ガリウム、インジウム又はアルミニウムを含む前記［１］〜［７］のいずれかに記載の結晶性酸化物半導体膜。
［９］  前記結晶性酸化物半導体が、ガリウムを少なくとも含む前記［１］〜［９］のいずれかに記載の結晶性酸化物半導体膜。
［１０］  半導体層と電極とを少なくとも含む半導体装置であって、前記半導体層として、請求項１〜９のいずれかに記載の結晶性酸化物半導体膜が用いられている半導体装置。
［１１］  半導体装置を備える半導体システムであって、前記半導体装置が、請求項１０記載の半導体装置である半導体システム。
【発明の効果】
【００１１】
本発明の結晶性酸化物半導体膜は、電気特性、特に移動度に優れている。
【図面の簡単な説明】
【００１２】
【図１】実施例において用いられる成膜装置（ミストＣＶＤ装置）の概略構成図である。
【図２】ショットキーバリアダイオード（ＳＢＤ）の好適な一例を模式的に示す図である。
【図３】高電子移動度トランジスタ（ＨＥＭＴ）の好適な一例を模式的に示す図である。
【図４】金属酸化膜半導体電界効果トランジスタ（ＭＯＳＦＥＴ）の好適な一例を模式的に示す図である。
【図５】接合電界効果トランジスタ（ＪＦＥＴ）の好適な一例を模式的に示す図である。
【図６】絶縁ゲート型バイポーラトランジスタ（ＩＧＢＴ）の好適な一例を模式的に示す図である。
【図７】発光素子（ＬＥＤ）の好適な一例を模式的に示す図である。
【図８】発光素子（ＬＥＤ）の好適な一例を模式的に示す図である。
【図９】電源システムの好適な一例を模式的に示す図である。
【図１０】システム装置の好適な一例を模式的に示す図である。
【図１１】電源装置の電源回路図の好適な一例を模式的に示す図である。
【図１２】実施例におけるＸＲＤ測定結果を示す図である。
【図１３】試験例におけるホール効果測定結果を示す図である。なお、縦軸が移動度（ｃｍ２／Ｖｓ）であり、横軸がキャリア密度（／ｃｍ３）である。
【図１４】試験例における温度可変ホール効果測定結果を示す図である。なお、縦軸が移動度（ｃｍ２／Ｖｓ）であり、横軸が温度（Ｋ）である。
【発明を実施するための形態】
【００１３】
本発明の結晶性酸化物半導体膜は、コランダム構造を有する結晶性酸化物半導体を主成分として含み、さらにドーパントを含む結晶性酸化物半導体膜であって、移動度が３０ｃｍ２／Ｖｓ以上であることを特長とする。前記移動度は、ホール効果測定にて得られる移動度をいい、本発明においては、前記移動度が４０ｃｍ２／Ｖｓ以上であるのが好ましく、５０ｃｍ２／Ｖｓ以上であるのがより好ましく、１００ｃｍ２／Ｖｓ以上であるのが最も好ましい。また、本発明においては、前記結晶性酸化物半導体膜のキャリア密度が、１．０×１０１８／ｃｍ３以上であるのも好ましい。ここで、前記キャリア密度は、ホール効果測定にて得られる半導体膜中のキャリア密度をいう。前記キャリア密度の上限は特に限定されないが、約１．０×１０２３／ｃｍ３以下が好ましく、約１．０×１０２２／ｃｍ３以下がより好ましい。前記結晶性酸化物半導体膜の抵抗率は、５０ｍΩｃｍ以下であるのが好ましく、１０ｍΩｃｍ以下であるのがより好ましく、５ｍΩｃｍ以下であるのが最も好ましい。本発明においては、前記結晶性酸化物半導体膜の主面がａ面又はｍ面であるのが、より電気特性を向上させることができるので好ましく、ｍ面であるのがより好ましい。また、前記結晶性酸化物半導体膜は、オフ角を有するのが好ましい。「オフ角」とは、所定の結晶面（主面）を基準面として形成される傾斜角をいい、通常、所定の結晶面（主面）と結晶成長面とのなす角度をいう。前記オフ角の傾斜方向は特に限定されないが、本発明においては、前記主面がｍ面である場合には、基準面からａ軸方向に向けて傾斜角が形成されているのが好ましい。前記オフ角の大きさは特に限定されないが、０．２°〜１２．０°が好ましく、０．５°〜４．０°であるのがより好ましく、０．５°〜３．０°であるのが最も好ましい。好ましいオフ角を有することにより、結晶性半導体膜の半導体特性、特に移動度がさらにより優れたものになる。また、本発明においては、前記結晶性酸化物半導体が、インジウム、ガリウムまたはアルミニウムを含むのが好ましく、ＩｎＡｌＧａＯ系半導体を含むのがより好ましく、ガリウムを少なくとも含むのが最も好ましい。なお、「主成分」とは、例えば結晶性酸化物半導体がα―Ｇａ２Ｏ３である場合、膜中の金属元素中のガリウムの原子比が０．５以上の割合でα―Ｇａ２Ｏ３が含まれていればそれでよい。本発明においては、前記膜中の金属元素中のガリウムの原子比が０．７以上であることが好ましく、０．８以上であるのがより好ましい。また、結晶性酸化物半導体膜の厚さは、特に限定されず、１μｍ以下であってもよいし、１μｍ以上であってもよい。また、前記結晶性酸化物半導体膜の形状等は特に限定されず、四角形状（正方形状、長方形状を含む）であっても、円形状（半円形状を含む）であっても、多角形状であってもよい。前記結晶性酸化物半導体膜の表面積は、特に限定されず、３ｍｍ角以上であるのが好ましく、５ｍｍ角以上であるのがより好ましく、直径５０ｍｍ以上であるのが最も好ましい。本発明においては、前記結晶性酸化物半導体膜が、膜表面の光学顕微鏡による観察において、中心３ｍｍ角領域にクラックを有しないのが好ましく、中心５ｍｍ角領域にクラックを有しないの���より好ましく、中心９．５ｍｍ角領域にクラックを有しないのが最も好ましい。また、前記結晶性酸化物半導体膜は、単結晶膜であってもよいし、多結晶膜であってもよいが、単結晶膜であるのが好ましい。
【００１４】
前記結晶性酸化物半導体膜は、ドーパントを含んでいるが、前記ドーパントは特に限定されず、公知のものであってよい。前記ドーパントとしては、例えば、スズ、ゲルマニウム、ケイ素、チタン、ジルコニウム、バナジウム、ニオブ、または鉛等のｎ型ドーパント、またはｐ型ドーパントなどが挙げられる。本発明においては、前記ドーパントが、スズ、ゲルマニウム、またはケイ素であるのが好ましく、スズまたはゲルマニウムであるのがより好ましく、スズであるのが最も好ましい。ドーパントの含有量は、前記結晶性酸化物半導体膜の組成中、０．００００１原子％以上であるのが好ましく、０．００００１原子％〜２０原子％であるのがより好ましく、０．００００１原子％〜１０原子％であるのが最も好ましい。このような好ましい範囲とすることで、前記結晶性酸化物半導体膜の電気特性をより向上させることができる。
【００１５】
また、前記結晶性酸化物半導体膜は、Ｘ線回析法のロッキングカーブ半値幅が１００ａｒｃｓｅｃ以上であるのが好ましく、３００ａｒｃｓｅｃ以上であるのがより好ましい。前記半値幅の上限は、特に限定されないが、好ましくは１３００ａｒｃｓｅｃであり、より好ましくは１１００ａｒｃｓｅｃである。このような好ましい半値幅とすることにより、得られる結晶性酸化物半導体膜の移動度をより優れたものとすることができる。
上記「半値幅」とは、ＸＲＤ（Ｘ−ｒａｙ  ｄｉｆｆｒａｃｔｉｏｎ：Ｘ線回折法）によりロッキングカーブ半値幅を測定した値を意味する。測定面方位としては、特に限定されないが、例えば、［１１―２０］、または［３０―３０］などが挙げられる。
【００１６】
以下、前記結晶性酸化物半導体膜の好ましい製造方法について説明するが、本発明はこれら好ましい製造方法に限定されない。
【００１７】
前記結晶性酸化物半導体膜の好ましい製造方法としては、例えば図１のようなミストＣＶＤ装置を用いて、ドーパントを含む原料溶液を霧化または液滴化し（霧化・液滴化工程）、得られたミストまたは液滴をキャリアガスで成膜室内に搬送し（搬送工程）、ついで成膜室内で前記ミストまたは液滴を熱反応させることによって、結晶基板上に、結晶性酸化物半導体膜を成膜する（成膜工程）方法において、主面がａ面又はｍ面であるコランダム構造を有している結晶基板を用いること、またはバッファ層が形成されており、かつオフ角を有する結晶基板を用いることなどが挙げられるが、本発明においては、主面がａ面又はｍ面であるコランダム構造を有している結晶基板であって、バッファ層が形成されていてもよい結晶基板を用いることが好ましく、主面がａ面又はｍ面であるコランダム構造を有している結晶基板であって、ドーパントを含まないバッファ層が形成されていてもよい結晶基板を用いることが、移動度がより向上するので、より好ましい。
【００１８】
（結晶基板）
前記結晶基板は、主面の全部または一部にコランダム構造を有している基板であれば特に限定されないが、結晶成長面側の主面の全部または一部にコランダム構造を有している基板であるのが好ましく、結晶成長面側の主面の全部にコランダム構造を有している基板であるのがより好ましい。また、本発明においては、前記主面がａ面又はｍ面であるのが、より電気特性を向上させることができるので好ましい。また、前記結晶基板は、オフ角を有していてもよく、前記オフ角としては、例えば、０．２°〜１２．０°のオフ角などが挙げられるが、本発明においては、前記オフ角が、０．５°〜４．０°であるのが好ましく、０．５°〜３．０°であるのがより好ましい。ここで、「オフ角」とは、基板表面と結晶成長面とのなす角度をいう。前記基板形状は、板状であって、前記結晶性酸化物半導体膜の支持体となるものであれば特に限定されない。絶縁体基板であってもよいし、半導体基板であってもよいし、導電性基板であってもよいが、前記基板が、絶縁体基板であるのが好ましく、また、表面に金属膜を有する基板であるのも好ましい。前記基板の形状は、特に限定されず、略円形状（例えば、円形、楕円形など）であってもよいし、多角形状（例えば、３角形、正方形、長方形、５角形、６角形、７角形、８角形、９角形など）であってもよく、様々な形状を好適に用いることができる。本発明においては、前記基板の形状を好ましい形状にすることにより、基板上に形成される膜の形状を設定することができる。また、本発明においては、大面積の基板を用いることもでき、このような大面積の基板を用いることによって、前記結晶性酸化物半導体膜の面積を大きくすることができる。前記結晶基板の基板材料は、本発明の目的を阻害しない限り、特に限定されず、公知のものであってよい。前記のコランダム構造を有する基板材料は、例えば、α―Ａｌ２Ｏ３（サファイア基板）またはα―Ｇａ２Ｏ３が好適に挙げられ、ａ面サファイア基板、ｍ面サファイア基板やα酸化ガリウム基板（ａ面又はｍ面）などがより好適な例として挙げられる。
【００１９】
前記のドーパントを含まないバッファ層としては、例えば、α―Ｆｅ２Ｏ３、α―Ｇａ２Ｏ３、α―Ａｌ２Ｏ３及びこれらの混晶などが挙げられる。本発明においては、前記バッファ層が、α―Ｇａ２Ｏ３であるのが好ましい。前記バッファ層の積層手段は特に限定されず、公知の積層手段であってよく、前記結晶性酸化物半導体膜の成膜手段と同様であってもよい。
【００２０】
（霧化・液滴化工程）
霧化・液滴化工程は、前記原料溶液を霧化または液滴化する。前記原料溶液の霧化手段または液滴化手段は、前記原料溶液を霧化または液滴化できさえすれば特に限定されず、公知の手段であってよいが、本発明においては、超音波を用いる霧化手段または液滴化手段が好ましい。超音波を用いて得られたミストまたは液滴は、初速度がゼロであり、空中に浮遊するので好ましく、例えば、スプレーのように吹き付けるのではなく、空間に浮遊してガスとして搬送することが可能なミストであるので衝突エネルギーによる損傷がないため、非常に好適である。液滴サイズは、特に限定されず、数ｍｍ程度の液滴であってもよいが、好ましくは５０μｍ以下であり、より好ましくは０．１〜１０μｍである。
【００２１】
（原料溶液）
前記原料溶液は、ミストＣＶＤにより、前記結晶性酸化物半導体が得られる溶液であって、前記ドーパントを含んでいれば特に限定されない。前記原料溶液としては、例えば、金属の有機金属錯体（例えばアセチルアセトナート錯体等）やハロゲン化物（例えばフッ化物、塩化物、臭化物またはヨウ化物等）の水溶液などが挙げられる。前記金属は、半導体を構成可能な金属であればそれでよく、このような金属としては、例えば、ガリウム、インジウム、アルミニウム、鉄等が挙げられる。本発明においては、前記金属が、ガリウム、インジウムまたはアルミニウムを少なくとも含むのが好ましく、ガリウムを少なくとも含むのがより好ましい。原料溶液中の金属の含有量は、本発明の目的を阻害しない限り特に限定されないが、好ましくは、０．００１モル％〜５０モル％であり、より好ましくは０．０１モル％〜５０モル％である。
【００２２】
また、原料溶液には、通常、ドーパントが含まれている。原料溶液にドーパントを含ませることにより、イオン注入等を行わずに、結晶構造を壊すことなく、結晶性酸化物半導体膜の導電性を容易に制御することができる。前記ドーパントとしては、例えば前記金属が少なくともガリウムを含む場合には、スズ、ゲルマニウム、ケイ素または鉛などのｎ型ドーパント等が挙げられる。本発明においては、前記ドーパントがスズ、ゲルマニウム、またはケイ素であるのが好ましく、スズ、またはゲルマニウムであるのがより好ましく、スズであるのが最も好ましい。前記ドーパントの濃度は、通常、約１×１０１６／ｃｍ３〜１×１０２２／ｃｍ３であってもよいし、また、ドーパントの濃度を例えば約１×１０１７／ｃｍ３以下の低濃度にしてもよいし、ドーパントを約１×１０２０／ｃｍ３以上の高濃度で含有させてもよい。本発明においては、ドーパントの濃度が１×１０２０／ｃｍ３以下であるのが好ましく、５×１０１９／ｃｍ３以下であるのがより好ましい。
【００２３】
原料溶液の溶媒は、特に限定されず、水等の無機溶媒であってもよいし、アルコール等の有機溶媒であってもよいし、無機溶媒と有機溶媒との混合溶媒であってもよい。本発明においては、前記溶媒が水を含むのが好ましく、水または水とアルコールとの混合溶媒であるのがより好ましく、水であるのが最も好ましい。前記水としては、より具体的には、例えば、純水、超純水、水道水、井戸水、鉱泉水、鉱水、温泉水、湧水、淡水、海水などが挙げられるが、本発明においては、超純水が好ましい。
【００２４】
（搬送工程）
搬送工程では、キャリアガスでもって前記ミストまたは前記液滴を成膜室内に搬送する。前記キャリアガスは、本発明の目的を阻害しない限り特に限定されず、例えば、酸素、オゾン、窒素やアルゴン等の不活性ガス、または水素ガスやフォーミングガス等の還元ガスが好適な例として挙げられる。また、キャリアガスの種類は１種類であってよいが、２種類以上であってもよく、流量を下げた希釈ガス（例えば１０倍希釈ガス等）などを、第２のキャリアガスとしてさらに用いてもよい。また、キャリアガスの供給箇所も１箇所だけでなく、２箇所以上あってもよい。キャリアガスの流量は、特に限定されないが、０．０１〜２０Ｌ／分であるのが好ましく、１〜１０Ｌ／分であるのがより好ましい。希釈ガスの場合には、希釈ガスの流量が、０．００１〜２Ｌ／分であるのが好ましく、０．１〜１Ｌ／分であるのがより好ましい。
【００２５】
（成膜工程）
成膜工程では、成膜室内で前記ミストまたは液滴を熱反応させることによって、基体上に、結晶性酸化物半導体膜を成膜する。熱反応は、熱でもって前記ミストまたは液滴が反応すればそれでよく、反応条件等も本発明の目的を阻害しない限り特に限定されない。本工程においては、前記熱反応を、通常、溶媒の蒸発温度以上の温度で行うが、高すぎない温度（例えば１０００℃）以下が好ましく、６５０℃以下がより好ましく、４００℃〜６５０℃が最も好ましい。また、熱反応は、本発明の目的を阻害しない限り、真空下、非酸素雰囲気下、還元ガス雰囲気下および酸素雰囲気下のいずれの雰囲気下で行われてもよく、また、大気圧下、加圧下および減圧下のいずれの条件下で行われてもよいが、本発明においては、大気圧下で行われるのが好ましい。なお、膜厚は、成膜時間を調整することにより、設定することができる。
【００２６】
上記のようにして得られた結晶性酸化物半導体膜は、電気特性、特に移動度に優れているだけでなく、クラックが低減されており、工業的に有用なものである。このような結晶性酸化物半導体膜は、半導体装置等に好適に用いることができ、とりわけ、パワーデバイスに有用である。例えば、前記結晶性酸化物半導体膜は、前記半導体装置のｎ型半導体層（ｎ＋型半導体層、ｎ−型半導体層を含む）に用いられる。また、本発明においては、前記結晶性酸化物半導体膜を、そのままで用いてもよいし、前記基板等から剥離する等の公知の手段を用いた後に、半導体装置等に適用してもよい。
【００２７】
また、前記半導体装置は、電極が半導体層の片面側に形成された横型の素子（横型デバイス）と、半導体層の表裏両面側にそれぞれ電極を有する縦型の素子（縦型デバイス）に分類することができ、本発明においては、横型デバイスにも縦型デバイスにも好適に用いることができるが、中でも、縦型デバイスに用いることが好ましい。前記半導体装置としては、例えば、ショットキーバリアダイオード（ＳＢＤ）、金属半導体電界効果トランジスタ（ＭＥＳＦＥＴ）、高電子移動度トランジスタ（ＨＥＭＴ）、金属酸化膜半導体電界効果トランジスタ（ＭＯＳＦＥＴ）、静電誘導トランジスタ（ＳＩＴ）、接合電界効果トランジスタ（ＪＦＥＴ）、絶縁ゲート型バイポーラトランジスタ（ＩＧＢＴ）または発光ダイオード（ＬＥＤ）などが挙げられる。
【００２８】
以下、本発明の結晶性酸化物半導体膜をｎ型半導体層（ｎ＋型半導体やｎ−半導体層等）に適用した場合の好適な例を、図面を用いて説明するが、本発明は、これらの例に限定されるものではない。なお、以下に例示する半導体装置において、本発明の目的を阻害しない限り、さらに他の層（例えば絶縁体層、半絶縁体層、導体層、半導体層、緩衝層またはその他中間層等）などが含まれていてもよいし、また、緩衝層（バッファ層）なども適宜省いてもよい。
【００２９】
図２は、本発明に係るショットキーバリアダイオード（ＳＢＤ）の一例を示している。図２のＳＢＤは、ｎ−型半導体層１０１ａ、ｎ＋型半導体層１０１ｂ、ショットキー電極１０５ａおよびオーミック電極１０５ｂを備えている。
【００３０】
ショットキー電極およびオーミック電極の材料は、公知の電極材料であってもよく、前記電極材料としては、例えば、Ａｌ、Ｍｏ、Ｃｏ、Ｚｒ、Ｓｎ、Ｎｂ、Ｆｅ、Ｃｒ、Ｔａ、Ｔｉ、Ａｕ、Ｐｔ、Ｖ、Ｍｎ、Ｎｉ、Ｃｕ、Ｈｆ、Ｗ、Ｉｒ、Ｚｎ、Ｉｎ、Ｐｄ、ＮｄもしくはＡｇ等の金属またはこれらの合金、酸化錫、酸化亜鉛、酸化レニウム、酸化インジウム、酸化インジウム錫（ＩＴＯ）、酸化亜鉛インジウム（ＩＺＯ）等の金属酸化物導電膜、ポリアニリン、ポリチオフェン又はポリピロ−ルなどの有機導電性化合物、またはこれらの混合物並びに積層体などが挙げられる。
【００３１】
ショットキー電極およびオーミック電極の形成は、例えば、真空蒸着法またはスパッタリング法などの公知の手段により行うことができる。より具体的に例えば、前記金属のうち２種類の第１の金属と第２の金属とを用いてショットキー電極を形成する場合、第１の金属からなる層と第２の金属からなる層を積層させ、第１の金属からなる層および第２の金属からなる層に対して、フォトリソグラフィの手法を利用したパターニングを施すことにより行うことができる。
【００３２】
図２のＳＢＤに逆バイアスが印加された場合には、空乏層（図示せず）がｎ型半導体層１０１ａの中に広がるため、高耐圧のＳＢＤとなる。また、順バイアスが印加された場合には、オーミック電極１０５ｂからショットキー電極１０５ａへ電子が流れる。このようにして前記半導体構造を用いたＳＢＤは、高耐圧・大電流用に優れており、スイッチング速度も速く、耐圧性・信頼性にも優れている。
【００３３】
（ＨＥＭＴ）
図３は、本発明に係る高電子移動度トランジスタ（ＨＥＭＴ）の一例を示している。図３のＨＥＭＴは、バンドギャップの広いｎ型半導体層１２１ａ、バンドギャップの狭いｎ型半導体層１２１ｂ、ｎ＋型半導体層１２１ｃ、半絶縁体層１２４、緩衝層１２８、ゲート電極１２５ａ、ソース電極１２５ｂおよびドレイン電極１２５ｃを備えている。
【００３４】
（ＭＯＳＦＥＴ）
本発明の半導体装置がＭＯＳＦＥＴである場合の一例を図４に示す。図４のＭＯＳＦＥＴは、トレンチ型のＭＯＳＦＥＴであり、ｎ−型半導体層１３１ａ、ｎ＋型半導体層１３１ｂ及び１３１ｃ、ゲート絶縁膜１３４、ゲート電極１３５ａ、ソース電極１３５ｂおよびドレイン電極１３５ｃを備えている。
【００３５】
（ＪＦＥＴ）
図５は、ｎ−型半導体層１４１ａ、第１のｎ＋型半導体層１４１ｂ、第２のｎ＋型半導体層１４１ｃ、ｐ型半導体層１４２、ゲート電極１４５ａ、ソース電極１４５ｂおよびドレイン電極１４５ｃを備えている接合電界効果トランジスタ（ＪＦＥＴ）の好適な一例を示す。
【００３６】
（ＩＧＢＴ）
図６は、ｎ型半導体層１５１、ｎ−型半導体層１５１ａ、ｎ＋型半導体層１５１ｂ、ｐ型半導体層１５２、ゲート絶縁膜１５４、ゲート電極１５５ａ、エミッタ電極１５５ｂおよびコレクタ電極１５５ｃを備えている絶縁ゲート型バイポーラトランジスタ（ＩＧＢＴ）の好適な一例を示す。
【００３７】
（ＬＥＤ）
本発明の半導体装置が発光ダイオード（ＬＥＤ）である場合の一例を図７に示す。図７の半導体発光素子は、第２の電極１６５ｂ上にｎ型半導体層１６１を備えており、ｎ型半導体層１６１上には、発光層１６３が積層されている。そして、発光層１６３上には、ｐ型半導体層１６２が積層されている。ｐ型半導体層１６２上には、発光層１６３が発生する光を透過する透光性電極１６７を備えており、透光性電極１６７上には、第１の電極１６５ａが積層されている。なお、図７の半導体発光素子は、電極部分を除いて保護層で覆われていてもよい。
【００３８】
透光性電極の材料としては、インジウム（Ｉｎ）またはチタン（Ｔｉ）を含む酸化物の導電性材料などが挙げられる。より具体的には、例えば、Ｉｎ２Ｏ３、ＺｎＯ、ＳｎＯ２、Ｇａ２Ｏ３、ＴｉＯ２、ＣｅＯ２またはこれらの２以上の混晶またはこれらにドーピングされたものなどが挙げられる。これらの材料を、スパッタリング等の公知の手段で設けることによって、透光性電極を形成できる。また、透光性電極を形成した後に、透光性電極の透明化を目的とした熱アニールを施してもよい。
【００３９】
図７の半導体発光素子によれば、第１の電極１６５ａを正極、第２の電極１６５ｂを負極とし、両者を介してｐ型半導体層１６２、発光層１６３およびｎ型半導体層１６１に電流を流すことで、発光層１６３が発光するようになっている。
【００４０】
第１の電極１６５ａ及び第２の電極１６５ｂの材料としては、例えば、Ａｌ、Ｍｏ、Ｃｏ、Ｚｒ、Ｓｎ、Ｎｂ、Ｆｅ、Ｃｒ、Ｔａ、Ｔｉ、Ａｕ、Ｐｔ、Ｖ、Ｍｎ、Ｎｉ、Ｃｕ、Ｈｆ、Ｗ、Ｉｒ、Ｚｎ、Ｉｎ、Ｐｄ、ＮｄもしくはＡｇ等の金属またはこれらの合金、酸化錫、酸化亜鉛、酸化レニウム、酸化インジウム、酸化インジウム錫（ＩＴＯ）、酸化亜鉛インジウム（ＩＺＯ）等の金属酸化物導電膜、ポリアニリン、ポリチオフェン又はポリピロ−ルなどの有機導電性化合物、またはこれらの混合物などが挙げられる。電極の製膜法は特に限定されることはなく、印刷方式、スプレー法、コ−ティング方式等の湿式方式、真空蒸着法、スパッタリング法、イオンプレ−ティング法等の物理的方式、ＣＶＤ、プラズマＣＶＤ法等の化学的方式、などの中から前記材料との適性を考慮して適宜選択した方法に従って前記基板上に形成することができる。
【００４１】
なお、発光素子の別の態様を図８に示す。図８の発光素子では、基板１６９上にｎ型半導体層１６１が積層されており、ｐ型半導体層１６２、発光層１６３およびｎ型半導体層１６１の一部を切り欠くことによって露出したｎ型半導体層１６１の半導体層露出面上の一部に第２の電極１６５ｂが積層されている。
【００４２】
前記半導体装置は、例えば電源装置を用いたシステム等に用いられる。前記電源装置は、公知の手段を用いて、前記半導体装置を配線パターン等に接続するなどして作製することができる。図９に電源システムの例を示す。図９は、複数の前記電源装置と制御回路を用いて電源システムを構成している。前記電源システムは、図１０に示すように、電子回路と組み合わせてシステム装置に用いることができる。なお、電源装置の電源回路図の一例を図１１に示す。図１１は、パワー回路と制御回路からなる電源装置の電源回路を示しており、インバータ（ＭＯＳＦＥＴＡ〜Ｄで構成）によりＤＣ電圧を高周波でスイッチングしＡＣへ変換後、トランスで絶縁及び変圧を実施し、整流ＭＯＳＦＥＴで整流後、ＤＣＬ（平滑用コイルＬ１，Ｌ２）とコンデンサにて平滑し、直流電圧を出力する。この時に電圧比較器で出力電圧を基準電圧と比較し、所望の出力電圧となるようＰＷＭ制御回路でインバータ及び整流ＭＯＳＦＥＴを制御する。
【実施例】
【００４３】
以下、本発明の実施例を説明するが、本発明はこれらに限定されるものではない。
【００４４】
（実施例１）
１．成膜装置
図１を用いて、本実施例で用いたミストＣＶＤ装置を説明する。ミストＣＶＤ装置１９は、基板２０を載置するサセプタ２１と、キャリアガスを供給するキャリアガス供給手段２２ａと、キャリアガス供給手段２２ａから送り出されるキャリアガスの流量を調節するための流量調節弁２３ａと、キャリアガス（希釈）を供給するキャリアガス（希釈）供給手段２２ｂと、キャリアガス（希釈）供給手段２２ｂから送り出されるキャリアガスの流量を調節するための流量調節弁２３ｂと、原料溶液２４ａが収容されるミスト発生源２４と、水２５ａが入れられる容器２５と、容器２５の底面に取り付けられた超音波振動子２６と、内径４０ｍｍの石英管からなる供給管２７と、供給管２７の周辺部に設置されたヒーター２８とを備えている。サセプタ２１は、石英からなり、基板２０を載置する面が水平面から傾斜している。成膜室となる供給管２７とサセプタ２１をどちらも石英で作製することにより、基板２０上に形成される膜内に装置由来の不純物が混入することを抑制している。
【００４５】
２．原料溶液の作製
ガリウムアセチルアセトナートと塩化スズ（ＩＩ）を超純水に混合し、ガリウムに対するスズの原子比が１：０．００２およびガリウム０．０５モル／Ｌとなるように水溶液を調整し、この際、塩酸を体積比で１．５％を含有させ、これを原料溶液２４ａとした。
【００４６】
３．成膜準備
上記２．で得られた原料溶液２４ａをミスト発生源２４内に収容した。次に、基板２０として、表面にバッファ層として、α―Ｇａ２Ｏ３膜（ノンドープ）が積層されているｍ面サファイア基板をサセプタ２１上に設置し、ヒーター２８を作動させて成膜室２７内の温度を４６０℃にまで昇温させた。次に、流量調節弁２３ａ、２３ｂを開いて、キャリアガス源であるキャリアガス供給手段２２ａ、２２ｂからキャリアガスを成膜室２７内に供給し、成膜室２７の雰囲気をキャリアガスで十分に置換した後、キャリアガスの流量を１．０Ｌ／ｍｉｎに、キャリアガス（希釈）の流量を０．５Ｌ／ｍｉｎにそれぞれ調節した。なお、キャリアガスとして窒素を用いた。
【００４７】
４．半導体膜形成
次に、超音波振動子２６を２．４ＭＨｚで振動させ、その振動を、水２５ａを通じて原料溶液２４ａに伝播させることによって、原料溶液２４ａを微粒子化させて原料微粒子を生成した。この原料微粒子が、キャリアガスによって成膜室２７内に導入され、大気圧下、４６０℃にて、供給管２７内でミストが反応して、基板２０上に半導体膜が形成された。なお、膜厚は２．５μｍであり、成膜時間３６０分間であった。
【００４８】
（実施例２〜実施例４）
基板として、オフ角を有するｍ面サファイア基板を用いたこと以外は、実施例１と同様にして、結晶性酸化物半導体膜を得た。なお、オフ角は、実施例２が０．５°であり、実施例３が２．０°であり、実施例４が３．０°であった。得られた結晶性酸化物半導体膜の膜厚は、それぞれ、実施例２が３．０μｍであり、実施例３が２．９μｍであり、実施例４が３．３μｍであった。
【００４９】
（実施例５）
再現性を確認するために、実施例４と同様にして、結晶性酸化物半導体膜を得た。得られた結晶性酸化物半導体膜の膜厚は、３．４μｍであった。なお、再現性の確認は下記試験例にて行った。そして、表１から明らかな通り、再現性が良好であることを確認した。また、膜厚からも再現性が良好であることがわかる。
【００５０】
（実施例６）
原料溶液として臭化ガリウムと臭化スズを超純水に混合し、ガリウムに対するスズの原子比が１：０．０８及びガリウム０．１モル／Ｌとなるように水溶液を調整し、この際、臭化水素酸を体積比１０％含有させた水溶液を用いたこと、基板として、表面にバッファ層としてα―Ｇａ２Ｏ３膜（ノンドープ）が積層されているｍ面サファイア基板に代えて、表面にバッファ層が積層されていないａ面サファイア基板を用いたこと、及び成膜時間を１０分としたこと以外は、実施例１と同様にして、結晶性酸化物半導体膜を得た。
【００５１】
（実施例７）
基板として、表面にバッファ層が積層されていないａ面サファイア基板に代えて、表面にバッファ層としてα―Ｇａ２Ｏ３膜（ノンドープ）が積層されているａ面サファイア基板を用いたこと以外は、実施例６と同様にして、結晶性酸化物半導体膜を得た。得られた結晶性酸化物半導体膜の膜厚は、０．３μｍであった。
【００５２】
（実施例８）
再現性を確認するために、実施例７と同様にして、結晶性酸化物半導体膜を得た。得られた結晶性酸化物半導体膜の膜厚は、０．３μｍであった。なお、再現性の確認は下記試験例にて行った。そして、表１から明らかな通り、再現性が良好であることを確認した。また、膜厚からも再現性が良好であることがわかる。
【００５３】
（実施例９）
基板として、表面にバッファ層としてα―Ｇａ２Ｏ３膜（ノンドープ）が積層されているｍ面サファイア基板に代えて、表面にバッファ層としてα―Ｇａ２Ｏ３膜（Ｓｎドープ）が積層されているａ面サファイア基板を用いたこと、及び成膜時間を１８０分としたこと以外は、実施例１と同様にして、結晶性酸化物半導体膜を得た。
【００５４】
（実施例１０）
基板として、表面にバッファ層としてα―Ｇａ２Ｏ３膜（ノンドープ）が積層されているａ面サファイア基板を用いたこと、及び原料溶液におけるガリウムとスズの原子比が、１：０．０００２となるように原料溶液を調整したこと以外は、実施例９と同様にして、結晶性酸化物半導体膜を得た。得られた結晶性酸化物半導体膜の膜厚は、１．０μｍであった。
【００５５】
（実施例１１）
基板として、表面にバッファ層としてα―Ｇａ２Ｏ３膜（Ｓｎドープ）が積層されているａ面サファイア基板に代えて、表面にバッファ層が積層されていないａ面サファイア基板を用いたこと以外は、実施例９と同様にして、結晶性酸化物半導体膜を得た。得られた結晶性酸化物半導体膜の膜厚は、０．９μｍであった。
【００５６】
（実施例１２）
原料溶液として、臭化ガリウムと酸化ゲルマニウムを超純水に混合し、ガリウムに対するゲルマニウムの原子比が１：０．０１およびガリウム０．１モル／Ｌとなるように原料溶液を調整し、この際、臭化水素酸を体積比で２０％含有させた水溶液を用いたこと、及び成膜時間を３０分としたこと以外は、実施例６と同様にして、結晶性酸化物半導体膜を得た。
【００５７】
（実施例１３）
成膜時間を７２０分としたこと以外は、実施例３と同様にして、結晶性酸化物半導体膜を得た。得られた結晶性酸化物半導体膜の膜厚は、３．８μｍであった。
【００５８】
（比較例１）
基板として、表面にバッファ層としてα―Ｇａ２Ｏ３膜（ノンドープ）が積層されているｍ面サファイア基板に代えて、表面にバッファ層が積層されていないｃ面サファイア基板を用いたこと以外は、実施例１と同様にして、結晶性酸化物半導体膜を得た。
（比較例２）
臭化ガリウムと酸化ゲルマニウムを超純水に混合し、ガリウムに対するゲルマニウムの原子比が１：００５となるように原料溶液を調整したこと、及び基板として、表面にバッファ層が積層されていないａ面サファイア基板に代えて、表面にバッファ層が積層されていないｃ面サファイア基板を用いたこと以外は、実施例６と同様にして結晶性酸化物半導体膜を得た。
（比較例３）
ガリウムに対するスズの原子比が１：０．００５となるように原料溶液を調整したこと、及び基板として、表面にバッファ層が積層されていないａ面サファイア基板に代えて、表面にバッファ層が積層されていないｃ面サファイア基板を用いたこと以外は、実施例６と同様にして結晶性酸化物半導体膜を得た。
【００５９】
（試験例１）
Ｘ線回析装置を用いて、実施例１〜１３及び比較例１〜３において得られた結晶性酸化物半導体膜につき、相の同定を行った。同定は、ＸＲＤ回析装置を用いて、１５度から９５度の角度で２θ／ωスキャンを行うことにより行った。測定は、ＣｕＫα線を用いて行った。その結果、実施例１〜５及び実施例１３において得られた結晶性酸化物半導体膜は、全てｍ面α−Ｇａ２Ｏ３であった。また、実施例６〜１２において得られた膜は、全てａ面α−Ｇａ２０３であり、比較例１〜３において得られた膜は、全てｃ面α−Ｇａ２Ｏ３であった。また、実施例１、２、４、７〜１２、及び比較例１で得られた結晶性酸化物半導体膜のロッキングカーブ半値幅を測定した結果を、表１〜３に示す。
【００６０】
（試験例２）
実施例１〜１３及び比較例１〜３において得られた結晶性酸化物半導体膜につき、ｖａｎ  ｄｅｒ  ｐａｕｗ法により、ホール効果測定を実施した。実施例１〜１３及び比較例１〜３において得られた結晶性酸化物半導体膜のキャリア密度、移動度、及び抵抗率を表１〜３に示す。表１〜３からわかるように、本発明の結晶性酸化物半導体膜は、電気特性、特に移動度に優れていることが分かる。
【００６１】
（試験例３）
実施例１〜１３及び比較例１〜３において得られた結晶性酸化物半導体膜につき、光学顕微鏡を用いて膜表面の観察を行った。観察において、膜表面の中心３ｍｍ角領域にクラックが見られなかった場合を○、中心３ｍｍ角領域にクラックが見られた場合を×として、表１〜３に観察結果を示す。表１〜３から、本発明の結晶性酸化物半導体膜は、クラックが低減されたものであることが分かる。
【００６２】
【表１】
2018082144.tif 000003
【００６３】
【表２】
2018082144.tif 000004
【００６４】
【表３】
2018082144.tif 000005
【００６５】
（実施例１４）
ドーパント原料として、臭化ケイ素を用いたこと以外は、実施例６と同様にして、結晶性酸化物半導体膜を得た。その結果、実施例１において得られた結晶性酸化物半導体膜と同等の性能を示していることが分かった。
【００６６】
（実施例１５）
実施例１と同様にして結晶性酸化物半導体膜を得た。なお、得られた膜厚は２．３μｍであった。
【００６７】
（実施例１６）
基板として、ａ軸に向かって２°のオフ角を有するｍ面サファイア基板を用いたこと以外は、実施例１と同様にして、結晶性酸化物半導体膜を得た。なお、得られた膜厚は３．２μｍであった。
【００６８】
（実施例１７）
実施例１６と同様にして、結晶性酸化物半導体膜を得た。なお、得られた膜厚は２．２μｍであった。
【００６９】
（実施例１８）
基板として、表面にバッファ層としてα―Ｇａ２Ｏ３膜（ノンドープ）が積層されていない、ａ軸に向かって２°のオフ角を有するｍ面サファイア基板を用いたこと以外は、実施例１と同様にして、結晶性酸化物半導体膜を得た。なお、得られた膜厚は２μｍであった。
【００７０】
（実施例１９）
基板として、ａ軸に向かって４°のオフ角を有するｍ面サファイア基板を用いたこと以外は、実施例１と同様にして、結晶性酸化物半導体膜を得た。なお、得られた膜厚は２．６μｍであった。
【００７１】
（実施例２０）
ガリウムアセチルアセトナートと塩化スズ（ＩＩ）を超純水に混合する際に、ガリウムに対するスズの原子比が１：０．０００２およびガリウム０．０５モル／Ｌとなるように水溶液を調整したこと以外、実施例１８と同様にして、結晶性酸化物半導体膜を得た。なお、得られた膜厚は１．８μｍであった。
【００７２】
（実施例２１）
ガリウムアセチルアセトナートと塩化スズ（ＩＩ）を超純水に混合する際に、ガリウムに対するスズの原子比が１：０．０００２およびガリウム０．０５モル／Ｌとなるように水溶液を調整したこと以外、実施例１８と同様にして、結晶性酸化物半導体膜を得た。なお、得られた膜厚は１．８μｍであった。
【００７３】
（試験例４）
実施例１５〜２１において得られた結晶性酸化物半導体膜につき、試験例１と同様にして相の同定を行ったところ、実施例１５〜２１において得られた結晶性酸化物半導体膜は、全てｍ面α−Ｇａ２Ｏ３であった。なお、参考までに実施例２０及び実施例２１にて得られた結晶性半導体膜のＸＲＤ測定結果を図１２に示す。また、実施例１５〜２１において得られた結晶性酸化物半導体膜につき、試験例１〜３と同様にして、キャリア密度、移動度、半値幅およびクラックの有無を評価した。結果を表４に示す。
【００７４】
【表４】
2018082144.tif 000006
【００７５】
（試験例５）
ｍ面サファイア基板上のＳｎドープしたα−Ｇａ２Ｏ３膜につき、ｖａｎ  ｄｅｒ  Ｐａｕｗ法によるホール効果測定を実施し、移動度とキャリア密度を評価した。なお、α−Ｇａ２Ｏ３膜については、ガリウムアセチルアセトナートと塩化スズ（ＩＩ）二水和物とを、塩酸を少量加えながら、溶解するまで混合し、得られた溶液を原料溶液として用いたこと、基板としてｍ面サファイア基板を用いたこと、および成膜温度を５００℃としたこと以外、実施例１と同様にしてα−Ｇａ２Ｏ３膜を得た。この際、キャリア密度が１×１０１８／ｃｍ３前後となるように、塩化スズ（ＩＩ）二水和物の配合割合を適宜変更して複数の原料溶液を用意して複数のα−Ｇａ２Ｏ３膜を得て本評価に用いた。
ホール効果測定の結果を図１３に示す。また、比較試験用に、ｍ面サファイア基板に代えて、ｃ面サファイア基板を用いて上記と同様にして得られたα−Ｇａ２Ｏ３膜についての測定結果もあわせて図１３に示す。図１３から明らかなように、ｃ面サファイア基板を用いて成膜したものに比べ、ｍ面サファイア基板を用いて成膜したものが電気特性において優れていることがわかる。
【００７６】
（試験例６）
また、試験例１にて得られたキャリア密度１．１×１０１８ｃｍ−３のα−Ｇａ２Ｏ３膜につき、温度可変ホール効果測定装置を用いて、移動度の温度特性を調べた。結果を図１４に示す。図１４から明らかなとおり、低温域でも移動度が４０ｃｍ２／Ｖｓ以上あり、また、高温域でも電気特性が良好であることがわかる。
【産業上の利用可能性】
【００７７】
本発明の結晶性酸化物半導体膜は、半導体装置（例えば化合物半導体電子デバイス等）、電子部品・電気機器部品、光学・電子写真関連装置、工業部材などあらゆる分野に用いることができるが、特に、半導体装置等に有用である。
【符号の説明】
【００７８】
１９    ミストＣＶＤ装置
２０    基板
２１    サセプタ
２２ａ  キャリアガス供給手段
２２ｂ  キャリアガス（希釈）供給手段
２３ａ  流量調節弁
２３ｂ  流量調節弁
２４    ミスト発生源
２４ａ  原料溶液
２５    容器
２５ａ  水
２６    超音波振動子
２７    供給管
２８    ヒーター
２９    排気口
１０１ａ  ｎ−型半導体層
１０１ｂ  ｎ＋型半導体層
１０２    ｐ型半導体層
１０３    半絶縁体層
１０４    絶縁体層
１０５ａ  ショットキー電極
１０５ｂ  オーミック電極
１２１ａ  バンドギャップの広いｎ型半導体層
１２１ｂ  バンドギャップの狭いｎ型半導体層
１２１ｃ  ｎ＋型半導体層
１２３    ｐ型半導体層
１２４    半絶縁体層
１２５ａ  ゲート電極
１２５ｂ  ソース電極
１２５ｃ  ドレイン電極
１２８    緩衝層
１３１ａ  ｎ−型半導体層
１３１ｂ  第１のｎ＋型半導体層
１３１ｃ  第２のｎ＋型半導体層
１３２    ｐ型半導体層
１３４    ゲート絶縁膜
１３５ａ  ゲート電極
１３５ｂ  ソース電極
１３５ｃ  ドレイン電極
１４１ａ  ｎ−型半導体層
１４１ｂ  第１のｎ＋型半導体層
１４１ｃ  第２のｎ＋型半導体層
１４２    ｐ型半導体層
１４５ａ  ゲート電極
１４５ｂ  ソース電極
１４５ｃ  ドレイン電極
１５１    ｎ型半導体層
１５１ａ  ｎ−型半導体層
１５１ｂ  ｎ＋型半導体層
１５２    ｐ型半導体層
１５４    ゲート絶縁膜
１５５ａ  ゲート電極
１５５ｂ  エミッタ電極
１５５ｃ  コレクタ電極
１６１    ｎ型半導体層
１６２    ｐ型半導体層
１６３    発光層
１６５ａ  第１の電極
１６５ｂ  第２の電極
１６７    透光性電極
１６９    基板
【図１】
2018082144.tif 000007
【図２】
2018082144.tif 000008
【図３】
2018082144.tif 000009
【図４】
2018082144.tif 000010
【図５】
2018082144.tif 000011
【図６】
2018082144.tif 000012
【図７】
2018082144.tif 000013
【図８】
2018082144.tif 000014
【図９】
2018082144.tif 000015
【図１０】
2018082144.tif 000016
【図１１】
2018082144.tif 000017
【図１２】
2018082144.tif 000018
【図１３】
2018082144.tif 000019
【図１４】
2018082144.tif 000020